(57)【要約】【課題】  指定された主情報を迅速に表示することができる情報管理装置および情報管理方法を提供することを目的とする。【解決手段】  複数の技術情報が格納されるファイル格納部１２と、各技術情報を階層状の情報群に分類して、各技術情報のファイル格納部１２における格納場所を含むプロセス情報を格納するプロセス情報格納部１３と、技術情報を表示する表示部１７と、操作者の操作によって、技術情報を指定するリンク情報が入力される操作部１６と、プロセス情報およびリンク情報に基づいて、指定された技術情報の格納場所を特定して、指定された技術情報を表示するように、表示部１７を制御する表示制御部１８および検索制御部２０とを含む。【選択図】      図１
2005056325.tif 000002
【特許請求の範囲】
【請求項１】
複数の主情報が格納される主情報格納手段と、
各主情報を階層状の情報群に分類して、各主情報の主情報格納手段における格納場所を含む分類情報を格納する分類情報格納手段と、
主情報を表示する表示手段と、
操作者の操作によって、情報群および主情報を指定する指定情報が入力される指定情報入力手段と、
分類情報および指定情報に基づいて、指定された主情報の格納場所を特定して、指定された主情報を表示するように、表示手段を制御する検索表示制御手段とを含むことを特徴とする情報管理装置。
【請求項２】
分類情報は、最下位階層の情報群に含まれる主情報の名称、最下位階層を除く残余の階層の情報群に含まれる１階層下位の階層の情報群の名称および前記格納場所を含み、
検索表示制御手段は、初期表示として、最上位階層の情報群に含まれる１階層下位の階層の全情報群の名称を表示するように表示手段を制御し、表示手段によって表示される情報群の１つが指定情報によって指定されると、指定された情報群に含まれる１階層下位の階層の全情報群の名称を表示するように、最下位階層の情報群が指定情報によって指定されるまで表示手段を制御し、表示手段によって表示される最下位階層の情報群が指定されると、指定された情報群に含まれる主情報の名称を表示するように表示手段を制御し、表示手段によって表示される主情報が指定情報によって指定されると、指定された主情報を表示するように表示手段を制御することを特徴とする請求項１記載の情報管理装置。
【請求項３】
操作者の操作によって、操作者を識別する識別情報が入力される識別情報入力手段と、
識別情報に基づいて、操作者が予め操作許可登録された許可登録者であるか否かを判定し、許可登録者であると判断した場合、検索表示制御手段の動作を許容し、許可登録者でないと判断した場合、検索表示制御手段の動作を禁止するセキュリティ手段とをさらに含むことを特徴とする請求項１または２記載の情報管理装置。
【請求項４】
操作者の操作によって分類情報格納手段に格納される分類情報の更新を含む更新情報が入力される更新情報入力手段と、
更新情報に基づいて、分類情報格納手段に格納されている分類情報を更新する更新手段とをさらに含むことを特徴とする請求項１〜３のいずれかに記載の情報管理装置。
【請求項５】
操作者の操作によって、操作者を識別する識別情報が入力される識別情報入力手段と、
識別情報に基づいて、操作者が予め操作許可登録された許可登録者であるか否かを判定し、許可登録者であると判断した場合、更新手段の動作を許容し、許可登録者でないと判断した場合、更新手段の動作を禁止するセキュリティ手段をさらに含むことを特徴とする請求項４記載の情報管理装置。
【請求項６】
分類情報格納手段に格納される分類情報の更新の履歴を含む履歴情報を、前記分類情報が更新される度に更新して格納する履歴格納手段をさらに含むことを特徴とする請求項１〜５のいずれかに記載の情報管理装置。
【請求項７】
前記分類情報が更新される度に、履歴情報を予め報知登録される報知登録者に報知する報知手段をさらに含むことを特徴とする請求項１〜６のいずれかに記載の情報管理装置。
【請求項８】
分類情報は、主情報の表示手段における表示順序を表す順序情報を含み、
表示手段は、順序情報に基づいて主情報を表示することを特徴とする請求項１〜７のいずれかに記載の情報管理装置。
【請求項９】
複数の主情報を主情報格納手段に格納する主情報格納工程と、
各主情報を階層状の情報群に分類して、各主情報の主情報格納手段における格納場所を含む分類情報を分類情報格納手段に格納する分類情報格納工程と、
主情報を表示手段に表示する表示工程と、
操作者の操作によって、情報群および主情報を指定する指定情報を指定情報入力手段に入力する指定情報入力工程と、
分類情報および指定情報に基づいて、指定された主情報の格納場所を特定して、指定された主情報を表示するように、表示手段を制御する検索表示制御工程とを含むことを特徴とする情報管理方法。
【請求項１０】
分類情報は、最下位階層の情報群に含まれる主情報の名称、最下位階層を除く残余の階層の情報群に含まれる１階層下位の階層の情報群の名称および前記格納場所を含み、
検索表示制御工程では、初期表示として、最上位階層の情報群に含まれる１階層下位の階層の全情報群の名称を表示するように表示手段を制御し、表示手段によって表示される情報群の１つが指定情報によって指定されると、指定された情報群に含まれる１階層下位の階層の全情報群の名称を表示するように、最下位階層の情報群が指定情報によって指定されるまで表示手段を制御し、表示手段によって表示される最下位階層の情報群が指定されると、指定された情報群に含まれる主情報の名称を表示するように表示手段を制御し、表示手段によって表示される主情報が指定情報によって指定されると、指定された主情報を表示するように表示手段を制御することを特徴とする請求項９記載の情報管理方法。
【請求項１１】
操作者の操作によって、操作者を識別する識別情報を入力する識別情報入力工程と、
識別情報に基づいて、操作者が予め操作許可登録された許可登録者であるか否かを判定し、許可登録者であると判断した場合、検索表示制御工程を行うことを許容し、許可登録者でないと判断した場合、検索表示制御手段を行うことを禁止するセキュリティ工程とをさらに含むことを特徴とする請求項９または１０記載の情報管理方法。
【請求項１２】
操作者の操作によって分類情報格納手段に格納される分類情報の更新を含む更新情報を入力する更新情報入力工程と、
更新情報に基づいて、分類情報格納手段に格納されている分類情報を更新する更新工程とをさらに含むことを特徴とする請求項９〜１１のいずれかに記載の情報管理方法。
【請求項１３】
操作者の操作によって、操作者を識別する識別情報を入力する識別情報入力工程と、
識別情報に基づいて、操作者が予め操作許可登録された許可登録者であるか否かを判定し、許可登録者であると判断した場合、更新工程を行うことを許容し、許可登録者でないと判断した場合、更新工程を行うことを禁止するセキュリティ工程をさらに含むことを特徴とする請求項１２記載の情報管理方法。
【請求項１４】
分類情報格納手段に格納される分類情報の更新の履歴を含む履歴情報を、前記分類情報が更新される度に更新して格納する履歴格納工程をさらに含むことを特徴とする請求項９〜１３のいずれかに記載の情報管理方法。
【請求項１５】
前記分類情報が更新される度に、履歴情報を予め報知登録される報知登録者に報知する報知工程をさらに含むことを特徴とする請求項９〜１４のいずれかに記載の情報管理方法。
【請求項１６】
分類情報は、主情報の表示手段における表示順序を表す順序情報を含み、
表示工程では、順序情報に基づいて主情報を表示することを特徴とする請求項９〜１５のいずれかに記載の情報管理方法。
【発明の詳細な説明】
【技術分野】
【０００１】
本発明は、作業の流れなどの技術情報を管理する技術情報管理装置および技術情報管理方法に関する。
【背景技術】
【０００２】
設計業務を行うときには、蓄積された技術情報を参考にするので、設計業務の流れを設計項目で階層状に体系化し、この設計項目名を検索キーワードとして技術情報に附与して、技術情報を設計項目毎に管理する管理装置がある（たとえば特許文献１および２参照）。
【０００３】
【特許文献１】特開平４−３４６４６号公報
【特許文献２】特開平１１−３３５７号公報
【発明の開示】
【発明が解決しようとする課題】
【０００４】
技術情報には、設計するときに必要な設計マニュアルおよび設計基準などを記した設計規程、設計結果を裏付ける実験データおよび技術レポート、品質確認書および設計ノウハウなどの設計過程の情報、ならびに設計の結果として技術仕様書、図面、部品表およびコスト表などの成果物がある。
【０００５】
設計規程に関しては、変更履歴を記録として管理し、承認された最新の情報を共有閲覧するように管理されている。設計過程の情報に関しては、設計の記録として管理され、登録された全ての情報を共有閲覧するように管理されている。成果物に関しては、変更データおよび履歴が管理されるとともに、変更予定があるかも含めて最新の情報を共有閲覧するように管理されている。このように情報の性質によって管理方法が異なる。情報の中には、検索キーワードを附与することが不可能な情報もあるので、技術情報に設計項目名を検索キーワードとして附与する方法では扱える情報の範囲に制限がある。また技術情報に設計項目名を検索キーワードとして附与する方法では、技術情報を検索対象とするため、技術情報が増えるに従って検索に時間を要するようになる。
【０００６】
したがって本発明の目的は、指定された主情報を迅速に表示することができる情報管理装置および情報管理方法を提供することである。
【課題を解決するための手段】
【０００７】
本発明は、複数の主情報が格納される主情報格納手段と、
各主情報を階層状の情報群に分類して、各主情報の主情報格納手段における格納場所を含む分類情報を格納する分類情報格納手段と、
主情報を表示する表示手段と、
操作者の操作によって、情報群および主情報を指定する指定情報が入力される指定情報入力手段と、
分類情報および指定情報に基づいて、指定された主情報の格納場所を特定して、指定された主情報を表示するように、表示手段を制御する検索表示制御手段とを含むことを特徴とする情報管理装置である。
【０００８】
また本発明は、分類情報は、最下位階層の情報群に含まれる主情報の名称、最下位階層を除く残余の階層の情報群に含まれる１階層下位の階層の情報群の名称および前記格納場所を含み、
検索表示制御手段は、初期表示として、最上位階層の情報群に含まれる１階層下位の階層の全情報群の名称を表示するように表示手段を制御し、表示手段によって表示される情報群の１つが指定情報によって指定されると、指定された情報群に含まれる１階層下位の階層の全情報群の名称を表示するように、最下位階層の情報群が指定情報によって指定されるまで表示手段を制御し、表示手段によって表示される最下位階層の情報群が指定されると、指定された情報群に含まれる主情報の名称を表示するように表示手段を制御し、表示手段によって表示される主情報が指定情報によって指定されると、指定された主情報を表示するように表示手段を制御することを特徴とする。
【０００９】
また本発明は、操作者の操作によって、操作者を識別する識別情報が入力される識別情報入力手段と、
識別情報に基づいて、操作者が予め操作許可登録された許可登録者であるか否かを判定し、許可登録者であると判断した場合、検索表示制御手段の動作を許容し、許可登録者でないと判断した場合、検索表示制御手段の動作を禁止するセキュリティ手段とをさらに含むことを特徴とする。
【００１０】
また本発明は、操作者の操作によって分類情報格納手段に格納される分類情報の更新を含む更新情報が入力される更新情報入力手段と、
更新情報に基づいて、分類情報格納手段に格納されている分類情報を更新する更新手段とをさらに含むことを特徴とする。
【００１１】
また本発明は、操作者の操作によって、操作者を識別する識別情報が入力される識別情報入力手段と、
識別情報に基づいて、操作者が予め操作許可登録された許可登録者であるか否かを判定し、許可登録者であると判断した場合、更新手段の動作を許容し、許可登録者でないと判断した場合、更新手段の動作を禁止するセキュリティ手段をさらに含むことを特徴とする。
【００１２】
また本発明は、分類情報格納手段に格納される分類情報の更新の履歴を含む履歴情報を、前記分類情報が更新される度に更新して格納する履歴格納手段をさらに含むことを特徴とする。
【００１３】
また本発明は、前記分類情報が更新される度に、履歴情報を予め報知登録される報知登録者に報知する報知手段をさらに含むことを特徴とする。
【００１４】
また本発明は、分類情報は、主情報の表示手段における表示順序を表す順序情報を含み、
表示手段は、順序情報に基づいて主情報を表示することを特徴とする。
【００１５】
また本発明は、複数の主情報を主情報格納手段に格納する主情報格納工程と、
各主情報を階層状の情報群に分類して、各主情報の主情報格納手段における格納場所を含む分類情報を分類情報格納手段に格納する分類情報格納工程と、
主情報を表示手段に表示する表示工程と、
操作者の操作によって、情報群および主情報を指定する指定情報を指定情報入力手段に入力する指定情報入力工程と、
分類情報および指定情報に基づいて、指定された主情報の格納場所を特定して、指定された主情報を表示するように、表示手段を制御する検索表示制御工程とを含むことを特徴とする情報管理方法である。
【００１６】
また本発明は、分類情報は、最下位階層の情報群に含まれる主情報の名称、最下位階層を除く残余の階層の情報群に含まれる１階層下位の階層の情報群の名称および前記格納場所を含み、
検索表示制御工程では、初期表示として、最上位階層の情報群に含まれる１階層下位の階層の全情報群の名称を表示するように表示手段を制御し、表示手段によって表示される情報群の１つが指定情報によって指定されると、指定された情報群に含まれる１階層下位の階層の全情報群の名称を表示するように、最下位階層の情報群が指定情報によって指定されるまで表示手段を制御し、表示手段によって表示される最下位階層の情報群が指定されると、指定された情報群に含まれる主情報の名称を表示するように表示手段を制御し、表示手段によって表示される主情報が指定情報によって指定されると、指定された主情報を表示するように表示手段を制御することを特徴とする。
【００１７】
また本発明は、操作者の操作によって、操作者を識別する識別情報を入力する識別情報入力工程と、
識別情報に基づいて、操作者が予め操作許可登録された許可登録者であるか否かを判定し、許可登録者であると判断した場合、検索表示制御工程を行うことを許容する、許可登録者でないと判断した場合、検索表示制御工程を行うことを禁止するセキュリティ工程とをさらに含むことを特徴とする。
【００１８】
また本発明は、操作者の操作によって分類情報格納手段に格納される分類情報の更新を含む更新情報を入力する更新情報入力工程と、
更新情報に基づいて、分類情報格納手段に格納されている分類情報を更新する更新工程とをさらに含むことを特徴とする。
【００１９】
また本発明は、操作者の操作によって、操作者を識別する識別情報を入力する識別情報入力工程と、
識別情報に基づいて、操作者が予め操作許可登録された許可登録者であるか否かを判定し、許可登録者であると判断した場合、更新工程を行うことを許容し、許可登録者でないと判断した場合、更新工程を行うことを禁止するセキュリティ工程をさらに含むことを特徴とする。
【００２０】
また本発明は、分類情報格納手段に格納される分類情報の更新の履歴を含む履歴情報を、前記分類情報が更新される度に更新して格納する履歴格納工程をさらに含むことを特徴とする。
【００２１】
また本発明は、前記分類情報が更新される度に、履歴情報を予め報知登録される報知登録者に報知する報知工程をさらに含むことを特徴とする。
【００２２】
また本発明は、分類情報は、主情報の表示手段における表示順序を表す順序情報を含み、
表示工程では、順序情報に基づいて主情報を表示することを特徴とする。
【発明の効果】
【００２３】
本発明によれば、主情報格納手段には、複数の主情報が格納され、分類情報格納手段には、各主情報が階層状の情報群に分類されて、各主情報の主情報格納手段における格納場所を含む分類情報が格納される。指定情報入力手段は、操作者の操作によって、情報群および主情報を指定する指定情報が入力される。検索表示制御手段は、分類情報格納手段に格納される分類情報および指定情報入力手段から入力される指定情報に基づいて、指定された主情報の格納場所を特定して、指定された主情報を表示するように、表示手段を制御する。たとえば主情報格納手段に、主情報が階層状の情報群に分類されずに、主情報に検索キーワードを付加して格納する場合、操作者が所望とする主情報を表示手段に表示させるときには、主情報格納手段に格納される主情報の検索キーワードを全て検索することになり、主情報の数が増加すると、指定された主情報が表示されるまでの時間が主情報の数に比例して長くなる。本発明では、分類情報および指定情報に基づいて、指定された主情報の格納場所を特定して、指定された主情報を表示することによって、主情報格納手段に格納される主情報の検索キーワードを全て検索することに比べて、指定された主情報を抽出するまでの時間が短くなる。したがって本発明では、主情報格納手段に格納される主情報の数が増加しても、指定された主情報を表示するまでの時間の増加率が、主情報格納手段に格納される主情報の検索キーワードを全て検索する場合に比べて小さくなり、指定された主情報を迅速に表示することができる。
【００２４】
また本発明によれば、分類情報は、最下位階層の情報群に含まれる主情報の名称、最下位階層を除く残余の階層の情報群に含まれる１階層下位の階層の情報群の名称および前記格納場所を含む。表示手段には、初期表示として、最上位階層の情報群に含まれる１階層下位の階層の全情報群の名称を表示することができる。また表示手段に表示される情報群の１つが指定情報によって指定されると、指定された情報群に含まれる１階層下位の階層の全情報群の名称を表示するように、最下位階層の情報群が指定情報によって指定されるまで繰返される。また表示手段に表示される最下位階層の情報群が指定されると、指定された情報群に含まれる主情報の名称を表示手段に表示することができる。さらに表示手段によって表示される主情報が指定情報によって指定されると、表示手段に指定された主情報を表示することができる。これによって各種情報を表示手段に階層的に表示することができる。
【００２５】
また本発明によれば、操作者が識別情報入力手段を操作することによって、操作者を識別する識別情報が入力される。セキュリティ手段は、識別情報に基づいて、操作者が予め操作許可登録された許可登録者であるか否かを判定し、許可登録者であると判断した場合、検索表示制御手段の動作を許容し、許可登録者でないと判断した場合、検索表示制御手段の動作を禁止する。これによって情報管理装置の情報を閲覧可能な操作者は、許可登録者だけに制限されるので、情報管理装置に格納される情報の不所望な漏洩を防止することができる。
【００２６】
また本発明によれば、更新情報入力手段が操作者によって操作されると、分類情報格納手段に格納される分類情報の更新を含む更新情報が入力される。更新手段は、更新情報に基づいて、分類情報格納手段に格納されている分類情報の少なくともいずれか一方を更新する。これによって分類情報は、常に新しい情報を有することができる。
【００２７】
また本発明によれば、操作者が識別情報入力手段を操作することによって、操作者を識別する識別情報が入力される。セキュリティ手段は、識別情報に基づいて、操作者が予め操作許可登録された許可登録者であるか否かを判定し、許可登録者であると判断した場合、更新手段の動作を許容し、許可登録者でないと判断した場合、更新手段の動作を禁止する。これによって情報管理装置における情報の更新を行う操作者は、許可登録者だけに制限されるので、情報管理装置に格納される情報の不所望な書換えを防止することができる。
【００２８】
また本発明によれば、履歴格納手段によって、分類情報格納手段に格納される分類情報の更新の履歴を含む履歴情報が、前記分類情報が更新される度に更新されて格納される。これによって更新情報は、分類情報の更新に伴って、常に新しい状態に維持することができる。
【００２９】
また本発明によれば、報知手段は、前記分類情報が更新される度に、履歴情報を予め報知登録される報知登録者に報知するので、報知登録者は分類情報の更新状況を常に監視することなく、容易に確認することができる。
【００３０】
また本発明によれば、分類情報は、主情報の表示手段における表示順序を表す順序情報を含み、主情報は、順序情報に基づく表示順序で表示されるので、主情報を閲覧する操作者は、主情報を表示順に容易に確認することができる。
【００３１】
また本発明によれば、主情報格納工程において、主情報格納手段に複数の主情報が格納され、分類情報格納工程において、分類情報格納手段に、各主情報が階層状の情報群に分類されて、各主情報の主情報格納手段における格納場所を含む分類情報が格納される。指定情報入力工程において、指定情報入力手段は、操作者の操作によって、情報群および主情報を指定する指定情報が入力される。検索表示制御工程において、分類情報格納手段に格納される分類情報および指定情報入力手段から入力される指定情報に基づいて、指定された主情報の格納場所を特定して、指定された主情報を表示するように、表示手段を制御する。たとえば主情報格納手段に、主情報が階層状の情報群に分類されずに、主情報に検索キーワードを付加して格納する場合、操作者が所望とする主情報を表示手段に表示させるときには、主情報格納手段に格納される主情報の検索キーワードを全て検索することになり、主情報の数が増加すると、指定された主情報が表示されるまでの時間が主情報の数に比例して長くなる。本発明では、分類情報および指定情報に基づいて、指定された主情報の格納場所を特定して、指定された主情報を表示することによって、主情報格納手段に格納される主情報の検索キーワードを全て検索することに比べて、指定された主情報を抽出するまでの時間が短くなる。したがって本発明では、主情報格納手段に格納される主情報の数が増加しても、指定された主情報を表示するまでの時間の増加率が、主情報格納手段に格納される主情報の検索キーワードを全て検索する場合に比べて小さくなり、指定された主情報を迅速に表示することができる。
【００３２】
また本発明によれば、分類情報は、最下位階層の情報群に含まれる主情報の名称、最下位階層を除く残余の階層の情報群に含まれる１階層下位の階層の情報群の名称および前記格納場所を含む。表示手段には、初期表示として、最上位階層の情報群に含まれる１階層下位の階層の全情報群の名称を表示することができる。また表示手段に表示される情報群の１つが指定情報によって指定されると、指定された情報群に含まれる１階層下位の階層の全情報群の名称を表示するように、最下位階層の情報群が指定情報によって指定されるまで繰返される。また表示手段に表示される最下位階層の情報群が指定されると、指定された情報群に含まれる主情報の名称を表示手段に表示することができる。さらに表示手段によって表示される主情報が指定情報によって指定されると、表示手段に指定された主情報を表示することができる。これによって各種情報を表示手段に階層的に表示することができる。
【００３３】
また本発明によれば、操作者が識別情報入力手段を操作することによって、操作者を識別する識別情報が入力される。セキュリティ工程では、識別情報に基づいて、操作者が予め操作許可登録された許可登録者であるか否かを判定し、許可登録者であると判断した場合、検索表示制御工程を行うことを許容し、許可登録者でないと判断した場合、検索表示制御工程を行うことを禁止する。これによって情報管理装置の情報を閲覧可能な操作者は、許可登録者だけに制限されるので、情報管理装置に格納される情報の不所望な漏洩を防止することができる。
【００３４】
また本発明によれば、更新情報入力工程では、分類情報格納手段に格納される分類情報の更新を含む更新情報が入力される。更新工程では、更新情報に基づいて、分類情報格納手段に格納されている分類情報を更新する。これによって分類情報は、常に新しい情報を有することができる。
【００３５】
また本発明によれば、識別情報入力工程では、操作者によって操作者を識別する識別情報が入力される。セキュリティ工程では、識別情報に基づいて、操作者が予め操作許可登録された許可登録者であるか否かを判定し、許可登録者であると判断した場合、更新工程を行うことを許容し、許可登録者でないと判断した場合、更新工程を行うことを禁止する。これによって情報管理装置における情報の更新を行う操作者は、許可登録者だけに制限されるので、情報管理装置に格納される情報の不所望な書換えを防止することができる。
【００３６】
また本発明によれば、履歴格納工程では、分類情報格納手段に格納される分類情報の更新の履歴を含む履歴情報が、前記分類情報が更新される度に更新されて格納される。これによって更新情報は、分類情報の更新に伴って、常に新しい状態に維持することができる。
【００３７】
また本発明によれば、報知工程では、前記分類情報が更新される度に、履歴情報を予め報知登録される報知登録者に報知するので、報知登録者は分類情報の更新状況を常に監視することなく、容易に確認することができる。
【００３８】
また本発明によれば、分類情報は、主情報の表示手段における表示順序を表す順序情報を含み、主情報は、順序情報に基づく表示順序で表示されるので、主情報を閲覧する操作者は、主情報を表示順に容易に確認することができる。
【発明を実施するための最良の形態】
【００３９】
図１は、本発明の実施の一形態の技術情報管理装置１０の構成を示すブロック図である。技術情報管理装置１０は、格納部１１を含んで構成される。格納部１１は、たとえばハードディスクドライブ（略称：ＨＤＤ）などの複数の大容量記憶装置で実現されてもよい。格納部１１は、ファイル格納部１２、プロセス情報格納部１３、セキュリティ格納部１４および履歴格納部１５を含んで構成される。
【００４０】
主情報格納手段であるファイル格納部１２は、たとえばＨＤＤなどの大容量記憶装置で実現され、複数の主情報が格納される。ファイル格納部１２は、具体的に述べると、既に管理方法が定められている設計マニュアルおよび設計基準などの設計規程情報、実験データおよび技術レポートなどの設計過程情報、ならびに技術仕様書および図面などの設計成果情報などの主情報を電子データの状態で格納する。
【００４１】
分類情報格納手段であるプロセス情報格納部１３は、たとえばＨＤＤなどの大容量記憶装置で実現され、各主情報を階層状の情報群に分類して、各主情報のファイル格納部１２における格納場所を含む分類情報を格納する。プロセス情報格納部１３は、具体的に述べると、作業の流れを階層状の設計項目として体系化した設計フロー情報と、設計項目毎に関連する技術情報とを、分類情報であるプロセス情報として電子データの状態で格納する。
【００４２】
セキュリティ格納部１４は、たとえばＨＤＤなどの大容量記憶装置で実現され、技術情報管理装置１０の操作部１６の操作および表示部１７に表示される情報の閲覧を許可される操作者に関するセキュリティ情報が格納される。履歴格納手段である履歴格納部１５は、たとえばＨＤＤなどの大容量記憶装置で実現され、プロセス情報格納部１３に格納される分類情報の更新の履歴を含む履歴情報を、前記分類情報が更新される度に更新して格納する。
【００４３】
技術情報管理装置１０は、操作部１６、表示部１７、表示制御部１８、入力制御部１９、検索制御部２０および情報案内部２１をさらに含んで構成される。操作部１６は、たとえばキーボード、マウスおよびタッチパネルなどの入力装置で実現され、操作者による入力操作によって、各種情報が入力される。表示部１７は、たとえば液晶表示装置などの出力装置で実現され、各種情報を表示する。表示制御部１８は、セキュリティ格納部１４に格納される情報に基づいて、表示部１７に情報を表示するか否かを判断し制御する。表示手段は、表示部１７および表示制御部１８を含んで構成される。
【００４４】
入力制御部１９は、セキュリティ格納部１４に格納される情報に基づいて、操作部１６から入力された情報をプロセス情報格納部１３に格納するか否かを判断し、操作部１６を制御する。指定情報入力手段、識別情報入力手段、更新情報入力手段および更新手段は、操作部１６および入力制御部１９を含んで構成される。このように構成される指定情報入力手段は、操作者の操作によって、技術情報を指定する指定情報が入力される。またこのように構成される識別情報入力手段は、操作者の操作によって、操作者を識別する識別情報が入力される。またこのように構成される更新情報入力手段は、操作者の操作によってプロセス情報格納部１３に格納されるプロセス情報の更新を含む更新情報が入力される。またこのように構成される更新手段は、更新情報に基づいて、プロセス情報格納部１３に格納されているプロセス情報を更新する。
【００４５】
セキュリティ手段は、セキュリティ格納部１４、表示制御部１８および入力制御部１９を含んで構成される。このように構成されるセキュリティ手段は、識別情報に基づいて、操作者が予め操作許可登録された許可登録者であるか否かを判定し、許可登録者であると判断した場合、検索表示制御手段の動作を許容し、許可登録者でないと判断した場合、検索表示制御手段の動作を禁止する。さらにセキュリティ手段は、識別情報に基づいて、操作者が予め操作許可登録された許可登録者であるか否かを判定し、許可登録者であると判断した場合、更新手段の動作を許容し、許可登録者でないと判断した場合、更新手段の動作を禁止する。
【００４６】
検索制御部２０は、操作部１６から入力された情報に基づいて、プロセス情報格納部１３を検索して、その検索結果を表示するように表示部１７を制御する。検索表示制御手段は、表示制御部１８および検索制御部２０を含んで構成される。報知手段である情報案内部２１は、履歴格納部１５に格納されている技術情報の履歴情報を含む電子メールを、予め定める操作者に自動的に送信する。
【００４７】
技術情報管理装置１０は、ローカルエリアネットワーク（略称：ＬＡＮ）およびインターネットなどの通信回線網に接続されるパーソナルコンピュータ（略称：ＰＣ）およびワークステーション（略称：ＷＳ）などの入力装置および出力装置を有する計算装置によって実現されてもよい。格納部１１は、メインメモリなどの主記憶装置および前述の計算装置に内蔵または外部に接続される大容量補助記憶装置で実現されてもよい。表示制御部１８、入力制御部１９、検索制御部２０および情報案内部２１は、前述の計算装置に搭載される中央演算処理装置（略称：ＣＰＵ）で実現されてもよい。また技術情報管理装置１０は、表示部１７に表示される情報を記録紙に記録するプリンタなどの出力装置をさらに備える構成であってもよい。このような計算装置に、以下に説明する技術情報管理方法を実行させるためのソフトウェアを実行させることによって、技術情報管理装置１０として機能させてもよい。ここでソフトウェアは、プログラムコードだけでなく、プログラムコードを実行するときに用いるデータも含むものとする。
【００４８】
図２は、プロセス情報格納部１３に格納されているプロセス情報の一例の構造を模式的に示す図である。プロセス情報格納部１３に格納されているプロセス情報は、設計業務の流れを階層状の設計項目として体系化するための設計フロー情報と、各設計項目が有する技術情報とを含む。また設計フロー情報は、設計項目の名称である設計項目名を有する。設計業務の流れを階層状の設計項目として体系化し、一番上の階層に属する設計項目を第１階層とし、次の階層を第２階層、順次、第３階層、第４階層とする。各階層に属する設計項目を含む設計フロー情報と技術情報とは、階層毎にテーブルを分けて管理される。階層の数には制限はないけれども、図２は、理解を容易にするために、第２階層までとしている。第１階層に属する設計項目１Ａ、設計項目１Ｂおよび設計項目１Ｃの設計フロー情報と技術情報とは、第１階層テーブルで管理し、第２階層に属する設計項目２ａおよび設計項目２ｂの設計フロー情報と技術情報とは、第２階層テーブルで管理される。
【００４９】
図３は、設計フロー情報の一例の詳細なデータ構造を模式的に示す図である。第１階層の次は第２階層、第２階層の次は第３階層というように、各階層の順番は予め定めておくものとする。各階層テーブルにおける設計フロー情報は、設計項目名、管理番号、前管理番号および表示順などのデータを有する。前管理番号は、１つ上位の階層のいずれの設計項目に構成されているかを表す。表示順は、表示部１７に表示する順番を表す。このように、設計フロー情報が前管理番号および表示順を有することによって、設計フローの変更で設計項目が追加、移動および削除される場合でも、設計業務の流れを維持することが可能となる。また各階層の設計フロー情報の管理番号は重複を避けるために、プロセス情報格納部１３に格納された順に自動的に順番付けされる。
【００５０】
図３に示す、設計フロー情報のデータ構造の例を以下に説明する。第１階層に属する設計項目１Ａの管理番号は「１」で、第１階層より上位には階層は存在しないので、設計項目１Ａの前管理番号は空白となる。設計項目１Ａには、その下の階層に設計項目２ａおよび設計項目２ｂが設けられ、設計項目２ａおよび設計項目２ｂは第２階層に属する。設計項目２ａの管理番号は「１１」で、その前管理番号は、第２階層の１つ上位の階層である第１階層の設計項目１Ａの管理番号である「１」となる。
【００５１】
したがって、プロセス情報格納部１３から設計フロー情報を読出すとき、表示制御部１８は、まず第１階層テーブルの表示順が「１」である設計項目１Ａを読出す。表示制御部１８は、次に第２階層テーブルの中に前管理番号が設計項目１Ａの管理番号である「１」となっている設計項目が有るか否かを判断する。図３に示すように、第２階層テーブルには前管理番号が「１」の設計項目である設計項目２ａおよび設計項目２ｂが有るので、検索制御部２０は、第２階層テーブルの表示順が「１」である設計項目２ａを読出し、続いて表示順が「２」である設計項目２ｂを読出す。表示制御部１８は、続いて第１階層テーブルの表示順が「２」である設計項目１Ｃを読出す。検索制御部２０は、続いて、第２階層テーブルの中に前管理番号が設計項目１Ｃの管理番号である「３」となっている設計項目が第２階層テーブルの中に有るか否かを判断する。図３に示すように、第２階層テーブルには前管理番号が「３」の設計項目が無いので、表示制御部１８は、第１階層テーブルの表示順が「３」の設計項目１Ｂを読出す。
【００５２】
表示制御部１８による設計フロー情報の読出しを効率的に行う方法として、各階層の設計フロー情報に下位の階層の有無を設定するデータ（以後「下層の有無」と表記することがある）を持たせ、下層の有無が「有り」の場合は、１つ下の階層の階層テーブルに管理されている設計項目を確認し、下層の有無が「無し」の場合は、１つ下の階層の階層テーブルを確認することなく、次の表示順の設計項目を読出すようにする。たとえば、第１階層テーブルの表示順が「１」である設計項目１Ａの下層の有無が「有り」の場合は、検索制御部２０は、第２階層テーブルを確認する。表示順が「２」である設計項目１Ｃの下層の有無が「無し」の場合は、検索制御部２０は、第２階層テーブルを確認しないで、第１階層テーブルの表示順が「３」である設計項目１Ｂを読出す。
【００５３】
図４は、技術情報の一例の詳細なデータ構造を模式的に示す図である。各設計項目に対応する技術情報には、進捗状況および設計規程などの基本的な技術情報と、設計途上における設計方針、実験結果および設計変更などを随時入力するため各設計項目で異なる技術情報とがある。各設計項目の基本的な技術情報と、各設計項目で異なる技術情報とは、異なるテーブルで、かつ階層毎に管理される。このように基本的な技術情報と各設計項目で異なる技術情報とを異なるテーブルで管理することによって、新規にプロセス情報を作成するときには、基本的な技術情報を管理するテーブルを新規のプロセス情報に流用し、各設計項目で異なる技術情報を管理するテーブルを新しく作成するようにして、運用管理者の手間を省くことが可能となる。
【００５４】
各設計項目の基本的な技術情報が階層毎に管理される第ｎ階層テーブルでは、技術情報として、設計マニュアル格納場所、設計基準、設計基準ファイル格納場所、設計ノウハウ格納場所、設計値、進捗状況、業務担当者、情報入力者および情報入力日などのデータを有する。ここでｎは、自然数である。各設計項目で異なる技術情報を管理する第ｎ関連情報テーブルでは、管理番号、親管理番号、種類、説明、ファイル格納場所、情報入力者および情報入力日などのデータを有する。
【００５５】
第ｎ階層テーブルで管理されている設計マニュアル格納場所、設計基準ファイル格納場所および設計ノウハウ格納場所、ならびに第ｎ関連情報テーブルで管理されているファイル格納場所は、ファイル格納部１２に電子データとして格納されている情報、たとえばマシン名およびディレクトリ名などの格納場所とファイル名を表すデータである。このように各設計項目の技術情報に、ファイル格納部１２における電子データが格納されている場所とファイル名をデータを含むことによって、既存の管理方法を変更する必要がなく、広い範囲の技術情報を扱うことが可能となる。第ｎ関連情報テーブルの管理番号は重複を避けるために、プロセス情報格納部１３に格納された順に自動的に順番付けされる。また第ｎ関連情報テーブルの親管理番号は、第ｎ関連情報テーブルに対応する第ｎ階層テーブルのいずれの設計項目に関連する情報かを管理している。
【００５６】
図４（１）に示す第１階層テーブルと、図４（２）に示す第１関連情報テーブルとの関係を以下に説明する。第１関連情報テーブルにおける管理番号が「１」の技術情報の親管理番号は「２」であるので、第１関連情報テーブルに対応する第１階層テーブルの管理番号が「２」である設計項目１Ｂに属する技術情報となっている。したがって設計フロー情報および技術情報を読出すときには、表示制御部１８は、まず第１階層テーブルの表示順が「１」で管理番号が「１」の技術情報を読出す。表示制御部１８は、次に第１関連情報テーブルの中に親管理番号が「１」である技術情報が有るか否かを判断し、親管理番号が「１」である管理番号が「２」の技術情報を読出す。
【００５７】
図４（１）に示すように、第１階層テーブルの管理番号が「１」の設計項目１Ａは、下層の有無が「有り」なので、表示制御部１８は、第１階層テーブルよりも下位の階層の設計フロー情報および技術情報を読出す。表示制御部１８は、続いて第１階層テーブルの表示順が「２」である管理番号が「３」の設計項目１Ｃの技術情報を読出し、第１関連情報テーブルの中に親管理番号が「３」である技術情報が有るか否かを判断する。図４（２）に示すように、第１関連情報テーブルの中には親管理番号が「３」である技術情報が無く、第１階層テーブルの管理番号が「３」の設計項目１Ｃの下層の有無が「無し」であるので、表示制御部１８は、第１階層テーブルの表示順が「３」の管理番号「２」の設計項目１Ｂの技術情報を読出す。
【００５８】
図５は、プロセス情報のファイルの単位を説明するための図である。部品点数の少ない小規模設計であれば、製品の機種毎に１つのプロセス情報のファイルで管理する。部品点数が多く、ユニットなどの機能毎に設計が別れている大規模設計であれば、ユニット別の機種毎に１つのプロセス情報のファイルで管理する。このように製品またはユニットの機種毎にプロセス情報のファイルを管理することによって、機種が異なることによる製品仕様の違いを容易に検索し、新製品の設計の参考にすることが可能となる。
【００５９】
図６および図７は、プロセス情報を表示部１７に表示するときの手順を示すフローチャートである。表示制御部１８は、プロセス情報格納部１３に格納されているプロセス情報を表示部１７に表示し、前記表示部１７に表示されているプロセス情報に対応するファイル格納部１２に格納されている電子データを表示部１７に表示する。プロセス情報を表示する方法として、プロセス情報は製品またはユニットの機種毎に管理されているので、製品名と機種名とを指定してプロセス情報を表示させる。ステップａ０で手順が開始されて、ステップａ１に進む。
【００６０】
図８は、図６に示すフローチャートにおけるステップａ１で表示部１７に表示される製品名および機種名の入力画面の一例を示す図である。ステップａ１では、表示制御部１８は、図８に示すような製品名および機種名が指定できる入力画面を表示するように表示部１７を制御して、ステップａ２に進む。
【００６１】
ステップａ２では、操作者が操作部１６を入力操作して、製品名および機種名を入力して、ステップａ３に進む。
【００６２】
ステップａ３では、入力制御部１９は、ステップａ２で入力された製品名および機種名を図示しない表示対象メモリに一時的に格納して、ステップａ４に進む。
【００６３】
セキュリティ工程であるステップａ４では、入力制御部１９は、セキュリティ格納部１４に格納されているセキュリティ情報に基づいて、操作部１６を入力操作している操作者に対して、入力された製品名および機種名に関連するプロセス情報の閲覧が許可されているか否かを判断し、許可されていると判断するとステップａ５に進み、許可されていないと判断するとステップａ１４に進む。このように操作者を制限することによって、情報漏洩を防ぐことが可能となる。
【００６４】
ステップａ４において操作部１６を入力操作している操作者に対して、プロセス情報の閲覧が許可されていると判断されてステップａ５に進むと、ステップａ５では、表示制御部１８は、表示対象メモリに一時的に格納されている製品名および機種名に関連するプロセス情報がプロセス情報格納部１３に格納されているか否かを判断し、格納されていると判断するとステップａ６に進み、格納されていないと判断するとステップａ１５に進む。
【００６５】
ステップａ５においてプロセス情報がプロセス情報格納部１３に格納されていると判断されてステップａ６に進むと、ステップａ６では、表示制御部１８は、前述のようにして表示対象メモリに一時的に格納されている製品名および機種名に関連するプロセス情報をプロセス情報格納部１３から読出して、ステップａ７に進む。
表１は、プロセス情報格納部１３に格納されるプロセス情報を示す表である。
【００６６】
【表１】
2005056325.tif 000003
【００６７】
ステップａ７では、表示制御部１８は、表１に示すようなプロセス情報格納部１３から読出した第１階層テーブルおよび第２階層テーブルの管理番号、下層の有無、設計項目名、設計マニュアル格納場所、設計基準、設計基準ファイル格納場所、設計ノウハウ格納場所、設計値、進捗状況、業務担当者、情報入力者および情報入力日、ならびに第１関連情報テーブルおよび第２関連情報テーブルの管理番号、親管理番号、種類、説明、ファイル格納場所、情報入力者および情報入力日を、図示しないプロセス情報メモリに一時的に格納して、ステップａ８に進む。
【００６８】
図９は、図６に示すフローチャートにおけるステップａ８で表示部１７に表示されるプロセス情報の一例を示す図である。ステップａ８では、表示制御部１８は、予め設定されるプロセス情報表示用のフォーマットで、表示部１７に図９に示すようなプロセス情報メモリに一時的に格納されるプロセス情報を表示するように制御して、図７に示すステップａ９に進む。
【００６９】
図７に示す指定情報入力工程であるステップａ９では、図９に示すプロセス情報のうち、「基準値」、「マニュアル」、「ノウハウ」および「説明」のような指定情報であるリンク情報を有するプロセス情報が、操作者の操作部１６の入力操作によって選択入力されて、ステップａ１０に進む。
【００７０】
ステップａ１０では、表示制御部１８は、プロセス情報メモリに格納されている、ステップａ９で選択入力されたプロセス情報のリンク情報を読出して、ステップａ１１に進む。
【００７１】
ステップａ１１では、表示制御部１８は、ステップａ１０で読出したリンク情報に基づいて、ファイル格納部１２に格納される情報を読出して、ステップａ１２に進む。
【００７２】
ステップａ１２では、表示制御部１８は、ステップａ１１で読出された情報を表示部１７に表示するように制御して、ステップａ１３に進み、全ての手順を終了する。検索表示制御工程は、ステップａ１０〜ステップａ１２で構成される。
【００７３】
図６に示すステップａ４において操作部１６を入力操作している操作者に対して、プロセス情報の閲覧が許可されていないと判断されてステップａ１４に進むと、ステップａ１４では、表示制御部１８は、閲覧が許可されていない旨のエラーメッセージを表示部１７に表示して、図７に示すステップａ１３に進み、全ての手順を終了する。
【００７４】
また図６に示すステップａ５においてプロセス情報がプロセス情報格納部１３に格納されていないと判断されてステップａ１５に進むと、ステップａ１５では、表示制御部１８は、指示したプロセス情報が存在しない旨のエラーメッセージを表示部１７に表示して、図７に示すステップａ１３に進み、全ての手順を終了する。
【００７５】
図１０（１）は、第１階層テーブルを模式的に示す図であり、図１０（２）は、第１関連情報テーブルを模式的に示す図であり、図１０（３）は、第２階層テーブルを模式的に示す図である。表２は、図１０に対応してプロセス情報格納部１３に格納されるプロセス情報を示す表である。
【００７６】
【表２】
2005056325.tif 000004
【００７７】
図７に示すステップａ９〜ステップａ１２までの詳細な手順を以下に述べる。図９に示すように表示部１７に表示されるプロセス情報のうち、基準値の「安全率ｘｘ以上」は、プロセス情報の第１階層テーブルの設計基準に予め設定されている値である。表示部７０に表示されている「安全率ｘｘ以上」が操作者による操作部６０の入力操作によって選択入力されると、表示制御部１８は、プロセス情報の第１階層テーブルの予め設定されている設計基準ファイル格納場所に基づくファイル格納部１２の格納場所にある電子データを表示するように表示部１７を制御する。このように表示部１７に図９に示すように表示されるプロセス情報の設計基準の値には、設計基準ファイル格納場所をリンク情報として有している。
【００７８】
また表示部７０に表示されるプロセス情報の「マニュアル」には、第１階層テーブルの設計マニュアル格納場所をリンク情報として有している。表示部７０に表示されている「マニュアル」が操作者による操作部６０の入力操作によって選択入力されると、表示制御部１８は、プロセス情報の第１階層テーブルの予め設定されている設計マニュアル格納場所に基づくファイル格納部１２の格納場所にある電子データを表示するように表示部１７を制御する。また表示部７０に表示されるプロセス情報の「ノウハウ」には、第１階層テーブルの設計ノウハウ格納場所をリンク情報として有している。表示部７０に表示されている「ノウハウ」が操作者による操作部６０の入力操作によって選択入力されると、表示制御部１８は、プロセス情報の第２階層テーブルの予め設定されている設計ノウハウ格納場所に基づくファイル格納部１２の格納場所にある電子データを表示するように表示部１７を制御する。
【００７９】
さらに表示部７０に表示されるプロセス情報の「説明」には、第ｎ関連情報テーブルのファイル格納場所をリンク情報として有している。表示部７０に表示されている「安全率ツール結果」が操作者による操作部６０の入力操作によって選択入力されると、表示制御部１８は、プロセス情報の第１関連情報テーブルの予め設定されているファイル格納場所に基づくファイル格納部１２の格納場所にある電子データを表示するように表示部１７を制御する。このように業務の流れに従って設計マニュアルおよび設計ノウハウなど設計に必要な基本的情報が表示されることによって、技術情報管理装置１０を設計ナビゲーションとして利用することが可能となる。またリンク情報を有するプロセス情報には、下線を引いて表示することによって、リンク情報が有ることを操作者が確認することができる。
【００８０】
図６に示すフローチャートのステップａ６においてプロセス情報格納部１３から読出されたプロセス情報を、ステップａ７においてプロセス情報メモリに格納する一例を、図３および表１を参照しながら以下に説明する。表示制御部１８は、まずプロセス情報メモリにおいて、第１階層テーブルの管理番号、下層の有無、設計項目名、設計マニュアル格納場所、設計基準、設計基準ファイル格納場所、設計ノウハウ格納場所、設計値、進捗状況、業務担当者、情報入力者、および情報入力日を格納する領域を用意する。表示制御部１８は、次に第１階層テーブルの表示順が「１」の設計フロー情報と技術情報とを、プロセス情報格納部１３に格納されているプロセス情報から読出す。
【００８１】
続いて検索制御部２０は、プロセス情報格納部１３から読出したテーブル「第１階層」、管理番号「１」、下層の有無「有り」、設計項目名「設計項目１Ａ」、設計マニュアル格納場所が空白、設計基準が空白、設計基準ファイル格納場所が空白、設計ノウハウ格納場所が空白、設計値が空白、進捗状況が空白、業務担当者が空白、情報入力者が空白、情報入力日が空白となっているデータを、プロセス情報メモリに、テーブル「第１階層」、管理番号「１」、下層の有無「有り」、設計項目名「設計項目１Ａ」、設計マニュアル格納場所が空白、設計基準が空白、設計基準ファイル格納場所が空白、設計ノウハウ格納場所が空白、設計値が空白、進捗状況が空白、業務担当者が空白、情報入力者が空白、情報入力日が空白として格納する。
【００８２】
続いて表示制御部１８は、第１関連情報テーブルにおいて、テーブル「第１階層」で、管理番号「１」の情報、すなわち親管理番号「１」である情報が有るか否かを判断する。親管理番号「１」である関連情報が有る場合には、表示制御部１８は、プロセス情報メモリにおいて、第１関連情報テーブル用に、管理番号、親管理番号、種類、説明、ファイル格納場所、情報入力者および情報入力日を格納するために、第１関連情報の中の該当する情報数と同じ数の格納領域を用意する。
【００８３】
続いて表示制御部１８は、プロセス情報格納部１３から読出したテーブル「第１関連情報」、管理番号「１」、親管理番号「１」、種類「図面」、説明「部品Ａ」、ファイル格納場「成果情報：／機種△△／部品Ａ」、情報入力者「担当ウ」および情報入力日「０２．ｘｘ．ｘｘ」であるデータを、プロセス情報メモリの前述のようにして用意された格納領域に格納する。
【００８４】
続いて表示制御部１８は、先に読出した第１階層テーブルに関して、管理番号「１」で、下層の有無「有り」であり、下位の階層が存在する設計項目であるので、第２階層テーブルの前管理番号が第１階層テーブルの管理番号と同じ「１」となる情報が有るか否かを判断する。該当する情報が有れば、プロセス情報メモリにおいて、第２階層テーブル用の格納領域を用意する。
【００８５】
続いて表示制御部１８は、プロセス情報格納部１３から、第２階層テーブルの前管理番号「１」かつ表示順「１」であるプロセス情報格納部１３に格納されている、テーブル「第２階層」、管理番号「１」、下層の有無「無し」、設計項目名「設計項目２ａ」、設計マニュアル格納場所「規程情報：／Ｍａｎｕａｌ／項目２ａ」、設計基準「安全率ｘｘ以上」、設計基準ファイル格納場所「規程情報：／Ｊｕｄｇｅ／項目２ａ」、設計ノウハウ格納場所「過程情報：／ＫｎｏｗＨｏｗ／項目２ａ」、設計値「ローラー径５．０」、進捗状況「完了」、業務担当者「担当ア」、情報入力者「担当イ」および情報入力日「０２．ｘｘ．ｘｘ」であるデータを読出す。
【００８６】
続いて表示制御部１８は、プロセス情報メモリにテーブル「第２階層」、管理番号「１」、下層の有無「無し」、設計項目名「設計項目２ａ」、設計マニュアル格納場所「規程情報：／Ｍａｎｕａｌ／項目２ａ」、設計基準「安全率ｘｘ以上」、設計基準ファイル格納場所「規程情報：／Ｊｕｄｇｅ／項目２ａ」、設計ノウハウ格納場所「過程情報：／ＫｎｏｗＨｏｗ／項目２ａ」、設計値「ローラー径５．０」、進捗状況「完了」、業務担当者「担当ア」、情報入力者「担当イ」、情報入力日「０２．ｘｘ．ｘｘ」を格納する。
【００８７】
続いて表示制御部１８は、第２関連情報テーブルにおいて、第２階層テーブルの管理番号「１」である親管理番号「１」を持つ情報が有るか否かを判断する。該当する情報がなければ、表示制御部１８は、プロセス情報メモリにおいて、前述の第２階層テーブル用の格納領域を用意し、第２階層テーブルの前管理番号「１」かつ表示順「２」の情報を探す。第２階層テーブルの中に該当する情報がなければ、検索制御部２０は、上位の階層である第１階層テーブルの表示順「２」の情報を探し、該当する情報がなければ、検索制御部２０は、プロセス情報の読出しを終了する。
【００８８】
図６に示すフローチャートのステップａ８における、プロセス情報メモリに格納されているデータを、プロセス情報表示用に設けられているフォーマットに従って表示する一例を、図９および表１を参照して以下に説明する。プロセス情報は、プロセス情報メモリの先頭から順番に降順で、表示フォーマットに従って順次表示する。
【００８９】
まずテーブル「第１階層」で管理番号「１」の情報は、下層の有無「有り」であって下位の階層を持つ設計項目であるので、表示制御部１８は、設計基準、設計値、進捗状況、業務担当者、情報入力者および情報入力日などの技術情報に何らかの値が入力されていても無視して、下位の階層の折畳み・展開表示が行う機能および検索を行うための「参照」ボタンと、技術情報を入力するための「変更」ボタンを有するタイトルバーに設計項目名である「設計項目１Ａ」を表示する。テーブル「第１関連情報」の情報は、第１階層テーブルの管理番号「１」に属する情報であることを視覚化するために、「設計項目１Ａ」よりも１段下げて表示される。
【００９０】
次に、テーブル「第２階層」で管理番号「１」の情報は、下層の有無「無し」なので、設計基準、設計値、進捗状況、業務担当者、情報入力者および情報入力日などの技術情報を、上位の第１階層テーブルと階層構造となっていることを視覚化するため、第１関連情報よりさらに１段下げて、検索が行える「参照」ボタンと技術情報が入力できる「変更」ボタンを付けて表示する。また、テーブル「第２関連情報」の情報は、テーブル「第２階層」の管理番号「１」に属する情報であることを視覚化するために、さらに１段下げて表示される。「第２階層」のプロセス情報を表示する場合は、検索が行える「参照」ボタンと技術情報が入力できる「変更」ボタンとを付加して表示する。
【００９１】
図１１は、「参照」ボタンが押されたときの検索制御部２０の制御手順を示すフローチャートである。ステップｂ０で手順が開始されて、ステップｂ１に進む。
【００９２】
図１２は、図１１に示すフローチャートのステップｂ１において表示部１７に表示されるプロセス情報の一例を示す図である。指定情報入力工程であるステップｂ１では、操作者は、図１２のように表示部１７に表示されているプロセス情報において、図中に仮想線で囲った検索対象とする設計項目の「参照」ボタンを操作部１６から指定し押して、ステップｂ２に進む。
【００９３】
表３は、図１１に示すフローチャートのステップｂ２において検索対象メモリに格納される検索対象情報の一例を示す表である。
【００９４】
【表３】
2005056325.tif 000005
【００９５】
ステップｂ２では、表示部１７に表示されているプロセス情報の製品名と、指定した階層の設計項目名と、指定した設計項目名の上位の階層である第１階層までの設計項目名を、図示しない検索対象メモリに格納して、ステップｂ３に進む。
【００９６】
図１３は、図１１に示すフローチャートのステップｂ３において表示部１７に表示される検索範囲入力画面の一例を示す図である。ステップｂ３では、検索制御部２０は、図１３に示すような検索範囲入力画面を表示部１７に表示するように制御してステップｂ４に進む。図１３では、検索可能な機種の選択肢の一例として、「機種−１」、「機種−２」、「機種−３」および「機種−４」の選択肢が表示される。
【００９７】
ステップｂ４では、操作者は操作部１６を入力操作して、図１３に示す検索範囲入力画面に表示される選択肢のうち、所望の選択肢を選択して、図１３に示される「ＯＫ」ボタンを選択入力して、ステップｂ５に進む。ステップｂ４では、操作者は、たとえば「機種−２」、「機種−３」および「機種−４」の選択肢を選択入力するものとする。
【００９８】
表４は、図１１に示すフローチャートのステップｂ５において検索範囲メモリに格納される検索範囲情報の一例を示す表である。
【００９９】
【表４】
2005056325.tif 000006
【０１００】
ステップｂ５では、検索制御部２０は、ステップｂ４において選択された選択肢を検索すべき機種名とする検索範囲情報として、図示しない検索範囲メモリに格納して、ステップｂ６に進む。
【０１０１】
ステップｂ６では、検索制御部２０は、検索対象メモリに格納される検索対象情報の製品名と、検索範囲メモリに格納される検索範囲情報の機種名とに該当するプロセス情報がプロセス情報格納部１３に格納されているか否かを判断し、格納されていると判断するとステップｂ７に進み、格納されていないと判断するとステップｂ１４に進む。
【０１０２】
ステップｂ６において検索対象メモリに格納される検索対象情報の製品名と、検索範囲メモリに格納される検索範囲情報の機種名とに該当するプロセス情報がプロセス情報格納部１３に格納されている判断されてステップｂ７に進むと、ステップｂ７では、図示しない検索結果メモリの製品名に、検索対象メモリの製品名を格納し、検索結果メモリの機種名に、検索範囲メモリの機種名を格納し、検索結果メモリの検索結果情報であるファイルに「有り」を格納してステップｂ９に進む。
【０１０３】
ステップｂ６において検索対象メモリに格納される検索対象情報の製品名と、検索範囲メモリに格納される検索範囲情報の機種名とに該当するプロセス情報がプロセス情報格納部１３に格納されていない判断されてステップｂ８に進むと、ステップｂ８では、図示しない検索結果メモリの製品名に、検索対象メモリの製品名を格納し、検索結果メモリの機種名に、検索範囲メモリの機種名を格納し、検索結果メモリの検索結果情報であるファイルに「無し」を格納してステップｂ６に戻る。
【０１０４】
ステップｂ９では、検索制御部２０は、検索対象メモリに格納されている第１階層の設計項目名からステップｂ１で検索対象として指定した第ｎ階層の設計項目名までと一致する設計フロー情報を有するプロセス情報が、プロセス情報格納部１３に格納されているか否かを判断し、格納されていると判断するとステップｂ１０に進み、格納されていないと判断するとステップｂ１１に進む。
【０１０５】
検索対象メモリに格納されている第１階層の設計項目名からステップｂ１で検索対象として指定した第ｎ階層の設計項目名までと一致する設計フロー情報を有するプロセス情報が、プロセス情報格納部１３に格納されていると判断されてステップｂ１０に進むと、ステップｂ１０では、検索制御部２０は、検索結果メモリの検索結果情報であるフローの「有り」を格納して、ステップｂ１２に進む。
【０１０６】
検索対象メモリに格納されている第１階層の設計項目名からステップｂ１で検索対象として指定した第ｎ階層の設計項目名までと一致する設計フロー情報を有するプロセス情報が、プロセス情報格納部１３に格納されていないと判断されてステップｂ１１に進むと、ステップｂ１１では、検索制御部２０は、検索結果メモリの検索結果情報であるフローの「無し」を格納して、ステップｂ１６に戻る。
【０１０７】
ステップｂ１２では、検索制御部２０は、ステップｂ３で選択された全ての機種に関する検索結果情報が検索結果メモリに格納されたか否かを判断し、格納されたと判断するとステップｂ１３に進み、格納されていないと判断するとステップｂ６に戻る。
【０１０８】
表５は、ステップｂ１２においてステップｂ３で選択された全ての機種に関する検索結果情報が検索結果メモリに格納されたと判断されたときの検索結果メモリに格納される検索結果情報を示す表である。
【０１０９】
【表５】
2005056325.tif 000007
【０１１０】
ステップｂ１２においてステップｂ３で選択された全ての機種に関する検索結果情報が検索結果メモリに格納されたと判断されてステップｂ１３に進むと、ステップｂ１３では、検索制御部２０は、検索対象メモリに格納されている第１階層の設計項目名以降のプロセス情報格納部１３に格納されるプロセス情報を、前述のような読出し手順に従って読出して、ステップｂ１４に進む。
【０１１１】
ステップｂ１４では、検索制御部２０は、ステップｂ１３で読出した第１階層テーブルおよび第２階層テーブルの管理番号、下層の有無、設計項目名、設計マニュアル格納場所、設計基準、設計基準ファイル格納場所、設計ノウハウ格納場所、設計値、進捗状況、業務担当者、情報入力者および情報入力日、ならびに第１関連情報テーブルの管理番号、親管理番号、種類、説明、情報入力者および情報入力日を図示しない検索プロセス情報メモリに格納して、ステップｂ１５に進む。
【０１１２】
図１４は、図１１に示すフローチャートのステップｂ１５で表示部１７に表示される検索結果表示画面を示す図である。表６は、図１４に示す検索結果表示画面に対応するプロセス情報メモリに格納されるプロセス情報を示す表である。
【０１１３】
【表６】
2005056325.tif 000008
【０１１４】
検索表示制御工程であるステップｂ１５では、検索制御部２０は、予め設定される検索結果表示用のフォーマットに従って、図１４に示すような検索結果表示画面を表示するように表示部１７を制御してステップｂ１６に進み、全ての手順を終了する。
【０１１５】
このように設計プロセス情報の製品名と、設計フロー情報が有するプロセス情報とを検索対象とすることによって、検索時間を抑えることができる。また検索対象として設計プロセス情報の製品名と、設計フロー情報の設計項目名とを指定することによって、設計項目毎に必要な機種の既存情報を読出すことができるとともに、製品仕様による設計の違いをも容易に導き出すことができ、情報収集の効率化、さらには技術情報の共有活用を図ることが可能となる。
【０１１６】
図１５は、図１１に示すフローチャートのステップｂ６〜ステップｂ１０の手順を模式的に示す図である。まずステップｂ６のプロセス情報のファイルがプロセス情報格納部１３に格納されているか否かの判断において、検索対象メモリの製品名が「製品○○」かつ検索範囲メモリの機種名１が「機種−２」のプロセス情報のファイルは、プロセス情報格納部１３に格納されていないと判断する。したがって検索制御部２０は、ステップｂ７において、検索結果メモリの製品名を格納する領域に検索対象メモリの製品名の「製品○○」を格納し、検索結果メモリの機種名を格納する領域に検索範囲メモリの機種名の「機種−２」を格納し、検索結果メモリのファイルを格納する領域に「無し」を格納する。
【０１１７】
ステップｂ４の検索範囲の選択で複数の機種が選択され、検索範囲メモリに複数の機種名が格納されているので、検索制御部２０は、ステップｂ６に戻り、検索対象メモリの製品名が「製品○○」かつ検索範囲メモリの機種名２が「機種−３」のプロセス情報のファイルがプロセス情報格納部１３に格納されているか否かを判断する。当該プロセス情報のファイルがプロセス情報格納部１３に格納されているので、検索制御部２０は、ステップｂ６において、前記ファイルがプロセス情報格納部１３に格納されていると判断し、続いてステップｂ７において、検索結果メモリの製品名を格納する領域に検索対象メモリの製品名の「製品○○」を格納し、検索結果メモリの機種名を格納する領域に検索範囲メモリの機種名の「機種−３」を格納し、検索結果メモリのファイルを格納する領域に「有り」を格納してステップｂ９に進む。
【０１１８】
検索制御部２０は、続くステップｂ９で、検索対象メモリに格納されている第１階層の設計項目名からステップｂ１で検索対象として指定した第ｎ階層の設計項目名までと一致する設計フロー情報を有するプロセス情報が、プロセス情報格納部１３に格納されているか否かを判断する。具体的には、製品名が「製品○○」かつ機種名が「機種−３」のプロセス情報の第１階層に対して、検索対象メモリの第１階層テーブルに設計項目名「設計項目１Ａ」が格納されているか否かを判断する。ここでは、第１階層テーブルに設計項目名「設計項目１Ａ」が格納されているので、検索制御部２０は、第２階層テーブルに対して、検索対象メモリの第２階層テーブルに設計項目名「設計項目２ａ」が格納されているか否かを判断する。ここでは、第２階層テーブルに設計項目名「設計項目２ａ」は格納されていないので、検索制御部２０は、ステップｂ１１に進み、検索結果メモリのフローを格納する領域に「無し」を格納し、ステップｂ６に戻る。
【０１１９】
続いて検索制御部２０は、検索範囲メモリの複数の機種名に対して、ステップｂ６におけるプロセス情報のファイルがプロセス情報格納部１３に格納されているか否かの判断、およびステップｂ９における設計フロー情報を有するプロセス情報が、プロセス情報格納部１３に格納されているか否かを判断が行われていない検索範囲メモリの機種名３が「機種−４」かつ検索対象メモリの製品名が「製品○○」のプロセス情報ファイルがプロセス情報格納部１３に存在するかをステップｂ６およびステップｂ９で確認する。その後、検索対象メモリの第１階層テーブルの設計項目名「設計項目１Ａ」が「製品○○」かつ「機種−４」のプロセス情報の第１階層に存在し、検索対象メモリの第２階層テーブルの設計項目「設計項目２ａ」が第２階層に存在するので、検索制御部２０は、検索結果メモリにのフローを格納する領域に「有り」を格納する。
【０１２０】
図１１に示すステップｂ１５の検索結果表示用フォーマットに従って表示する例を図１４を用いて説明する。検索制御部２０は、検索結果メモリの頭から順番に表示フォーマットに従って表示していく。まず、検索結果メモリのファイルが「無し」である「機種−２」の場合、検索結果メモリにおける機種名である「機種−２」と「プロセス情報ファイルがありません。」とを表示するように、表示制御部１８は表示部１７を制御する。検索結果メモリのファイルが有り」かつフローが「無し」である「機種−３」の場合、検索結果メモリの機種名「機種−３」と「設計フローがありません。」とを表示するように、表示制御部１８は、表示部１７を制御する。
【０１２１】
検索結果メモリのファイルが「有り」かつフロー「有り」である「機種−４」の場合、検索結果メモリの機種名「機種−４」を表示し、ステップｂ１４で検索プロセス情報メモリに格納されたテーブル「第２階層」の管理番号「２」の情報は、下層の有無が「有り」で、下層を持つ設計項目なので、技術情報である設計基準、設計値、進捗状況、業務担当者、情報入力者および情報入力日に何らかの値が入力されていても無視し、下層の折畳みおよび展開表示が行える機能を持つタイトルバーに設計項目名の「設計項目２ｂ」を表示する。続いてテーブル「第三階層」の管理番号の「１」の情報は、下層の有無が「無し」なので、技術情報である設計基準、設計値、進捗状況、業務担当者、情報入力者および情報入力日を、上位の階層である第１項目と階層構造であることを視覚化するため１段下げて、全ての技術情報が表示できる「詳細」ボタンを付けて表示する。テーブルが「第３関連情報」の情報は、第３階層の管理番号が「１」に属する情報であることを視覚化するため、さらに１段下げて表示する。なお最下層である第ｎ階層のプロセス情報を表示する場合は、全ての技術情報が表示される「詳細」ボタンを付けて表示する。
【０１２２】
以上のように本実施の形態の技術情報管理装置１０において、分類情報であるプロセス情報は、最下位階層の情報群に含まれる主情報である技術情報の名称、最下位階層を除く残余の階層の情報群に含まれる１階層下位の階層の情報群の名称および前記格納場所を含む。検索制御部２０は、初期表示として、最上位階層の情報群に含まれる１階層下位の階層の全情報群の名称を表示するように表示部１７を制御し、表示部１７によって表示される情報群の１つがリンク情報によって指定されると、指定された情報群に含まれる１階層下位の階層の全情報群の名称を表示するように、最下位階層の情報群がリンク情報によって指定されるまで表示部１７を制御する。また表示制御部１８は、表示部１７によって表示される最下位階層の情報群が指定されると、指定された情報群に含まれる技術情報の名称を表示するように表示部１７を制御し、表示部１７によって表示される技術情報がリンク情報によって指定されると、指定された技術情報を表示するように表示部１７を制御する。
【０１２３】
図１６は、技術情報管理装置１０に情報を入力するときの手順を示すフローチャートである。図１７は、表示部１７に表示されるプロセス情報の一例を示す図である。ステップｃ０で図１７に示すようなプロセス情報が表示され、手順が開始されて、ステップｃ１に進む。
【０１２４】
ステップｃ１では、操作者は、図１７に示すように表示されるプロセス情報の、仮想線で囲って示す技術情報を入力する設計項目の「変更」ボタンを操作部１６を操作して入力指定し、ステップｃ２に進む。
【０１２５】
ステップｃ２では、入力操作部１９は、操作部１６を入力操作している操作者が、表示対象メモリに格納されている製品名および機種名のプロセス情報の入力が許可されているかを、セキュリティ格納部１４に格納されるセキュリティ情報に基づいて判断し、許可されていると判断するとステップｃ３に進み、許可されていないと判断するとステップｃ１４に進む。ステップｃ２において、操作者がプロセス情報の入力が許可されているか否かの判断は、たとえば操作者に操作者を識別する識別情報を操作部１６に入力させるステップである識別情報入力工程を別途設けて、セキュリティ格納部１４のセキュリティ情報に当該識別情報が有るか否かを判断するようにしてもよい。
【０１２６】
技術情報の中でも設計マニュアルのリンク先である設計マニュアル格納場所、設計基準およびそのリンク先である設計基準ファイル格納場所、ならびに設計ノウハウのリンク先である設計ノウハウ格納場所は、設計の手順と方法を示すものであるので、誰もが自由に入力して良い情報とは限らない。したがって入力する技術情報に関して、設計マニュアル格納場所、設計基準、設計基準ファイル格納場所、設計ノウハウ格納場所、設計値、進捗状況、業務担当者、種類、説明およびファイル格納場所の入力を許可する設計リーダーと、設計の手順と方法を示す技術情報以外の設計値、進捗状況、業務担当者、種類、説明およびファイル格納場所の入力を許可する設計担当者とに入力権限を分けるようにしてもよい。本実施の形態では、入力権限を分けない、技術情報への入力が許可されている操作者であれば、すべての技術情報が入力できるものとして説明する。
【０１２７】
ステップｃ２において操作部１６を入力操作している操作者が、表示対象メモリに格納されている製品名および機種名のプロセス情報の入力が許可されている、換言すれば許可登録者であると判断されてステップｃ３に進むと、ステップｃ３では、プロセス情報メモリから、ステップｃ１で指定した設計項目のプロセス情報メモリに格納されている表７に示すようなテーブル「第２階層」、管理番号、設計項目名、設計マニュアル格納場所、設計基準、設計基準ファイル格納場所、設計ノウハウ格納場所、設計値、進捗状況、業務担当者、情報入力者および情報入力日、ならびにテーブル「第２関連情報」、管理番号、親管理番号、種類、説明、ファイル格納場所、情報入力者および情報入力日を、図示しない入力前情報メモリのテーブル、管理番号、設計項目名、設計マニュアル格納場所、設計基準、設計基準ファイル格納場所、設計ノウハウ格納場所、設計値、進捗状況、業務担当者、情報入力者および情報入力日、ならびに関連テーブル−１、関連管理番号−１、親管理番号−１、種類−１、説明−１、ファイル格納場所−１、関連情報入力者−１および関連情報入力日−１に、表８に示すように格納して、ステップｃ４に進む。
【０１２８】
【表７】
2005056325.tif 000009
【０１２９】
【表８】
2005056325.tif 000010
【０１３０】
図１８は、図１６に示すフローチャートのステップｃ４で表示される技術情報入力画面を示す図である。ステップｃ４では、検索制御部２０は、技術情報入力用の表示フォーマットに従って、図１８に示すような技術情報入力画面を表示するように表示部１７を制御して、ステップｃ５に進む。
【０１３１】
更新情報入力工程であるステップｃ５では、操作者は図１８に示す技術情報入力画面に表示される設計マニュアル格納場所、設計基準、設計基準ファイル格納場所、設計ノウハウ格納場所、設計値、進捗状況、業務担当者、種類、説明およびファイル格納場所のうち少なくともいずれかの情報を操作部１６を入力操作することで入力して、ステップｃ６に進む。
【０１３２】
ステップｃ６では、入力制御部１９は、表９に示すように、入力後情報メモリのテーブル、管理番号、関連テーブル−１、関連管理番号−１、親管理番号−１には、入力前情報メモリのテーブル、管理番号、関連テーブル−１、関連管理番号−１、および親管理番号−１を格納し、入力後情報メモリの設計マニュアル格納場所、設計基準、設計基準ファイル格納場所、設計ノウハウ格納場所、設計値、進捗状況、業務担当者、種類−１、説明−１およびファイル格納場所−１には、ステップｃ５で入力した技術情報を格納して、ステップｃ７に進む。
【０１３３】
【表９】
2005056325.tif 000011
【０１３４】
ステップｃ７では、入力前情報メモリに格納されている設計マニュアル格納場所、設計基準、設計基準ファイル格納場所、設計ノウハウ格納場所、設計値、進捗状況、業務担当者、種類−１、説明−１およびファイル格納場所−１と、入力後情報メモリに格納されている設計マニュアル格納場所、設計基準、設計基準ファイル格納場所、設計ノウハウ格納場所、設計値、進捗状況、業務担当者、種類−１、説明−１およびファイル格納場所−１とを比較して、ステップｃ８に進む。
【０１３５】
ステップｃ８では、入力制御部１９は、ステップｃ７において比較した結果、異なるデータだけに関する入力前情報メモリのデータと入力後情報メモリのデータとを、変更情報メモリに格納してステップｃ９に進む。
【０１３６】
ステップｃ９では、入力制御部１９は、変更情報メモリの設計マニュアル格納場所、設計基準、設計基準ファイル格納場所、設計ノウハウ格納場所、設計値、進捗状況および業務担当者に何らかの情報が格納されている場合、入力後情報メモリの情報入力者と、変更情報メモリの後情報入力者とに、現在の操作者の名前格納するとともに、変更情報メモリの前情報入力者に入力前情報メモリの情報入力者を格納して、ステップｃ１０に進む。
【０１３７】
ステップｃ１０では、変更情報メモリの種類−１、説明−１、ファイル格納場所−１に何らかのデータが格納されている場合、入力後情報メモリの情報入力日−１と、変更情報メモリの後情報入力日−１とに、現在の日時を格納するとともに、変更情報メモリの前情報入力日−１に入力前情報メモリの情報入力日−１を格納して、ステップｃ１１に進む。
【０１３８】
ステップｃ１１では、入力制御部１９は、プロセス情報格納部１３に格納されているプロセス情報のファイルのうち、表示対象メモリに格納されている製品名かつ機種名のプロセス情報のファイルに対して、入力後情報メモリに格納されているテーブルおよび管理番号に該当する技術情報の設計マニュアル格納場所、設計基準、設計基準ファイル格納場所、設計ノウハウ格納場所、設計値、進捗状況、業務担当者、情報入力者および情報入力日に、入力後情報メモリの設計マニュアル格納場所、設計基準、設計基準ファイル格納場所、設計ノウハウ格納場所、設計値、進捗状況、業務担当者、情報入力者および情報入力日を格納するとともに、入力後情報メモリに格納されている関連テーブル−１および関連管理番号−１に該当する技術情報の親管理番号、種類、説明、ファイル格納場所、情報入力者および情報入力日に、入力後情報メモリの親管理番号−１、種類−１、説明−１、ファイル格納場所−１、情報入力者−１および情報入力日−１を格納して、ステップｃ１２に進む。
【０１３９】
ステップｃ１２では、入力制御部１９は、変更情報メモリの内容を履歴格納部１５に格納して、ステップｃ１３に進み、全ての手順を終了する。
【０１４０】
ステップｃ２において操作部１６を入力操作している操作者が、表示対象メモリに格納されている製品名および機種名のプロセス情報の入力が許可されていない、換言すれば許可登録者でないと判断されてステップｃ１４に進むと、ステップｃ１４では、表示制御部１８は、その操作者には入力権限が無い旨のメッセージを表示部１７に表示するように制御して、ステップｃ１３に進み、全ての手順を終了する。更新工程は、ステップｃ６〜ステップｃ１２で構成される。
【０１４１】
このように設計業務の中で各設計項目に対して、該当する技術情報を順次入力することによって、技術情報管理装置１０の管理者は、設計の方向性や進捗状況を随時確認することが可能となる。
【０１４２】
図１９は、図１６に示すフローチャートのステップｃ６〜ステップｃ１０の手順を模式的に示す図である。図１９（２）に示す技術情報入力画面には、入力前情報メモリの設計項目名、設計マニュアル格納場所、設計基準、設計基準ファイル格納場所、設計ノウハウ格納場所、設計値、進捗状況、業務担当者、種類−１、説明−１およびファイル格納場所−１が表示され、設計途上において設計方針、実験結果および設計変更など随時入力する技術情報である種類、説明およびファイル格納場所は複数個入力可能であり、操作部１６から図１９（２）に示す技術情報入力画面の「追加」ボタンを指定入力すると、種類、説明およびファイル格納場所の枠が新たに追加されて表示される。図１９（２）に示す技術情報入力画面における進捗状況は、未着手、着手、順調、難航および完了といった言葉をプルダウンメニューで選択入力するようにしてもよく、また割合（パーセント）で入力してもよい。
【０１４３】
入力後情報メモリは、図１６に示すフローチャートのステップｃ１の技術情報を入力する設計項目の「変更」ボタンを操作部１６から指定入力したときに、入力前情報メモリと同様に、テーブル、管理番号、設計項目名、設計マニュアル格納場所、設計基準、設計基準ファイル格納場所、設計ノウハウ格納場所、設計値、進捗状況、業務担当者、情報入力者、情報入力日、関連テーブル−１、関連管理番号−１、親管理番号−１、種類−１、説明−１、ファイル格納場所−１、関連情報入力者−１および関連情報入力日−１を格納する領域が入力制御部１９によって用意される。また入力後情報メモリには、図１９（２）に示す技術情報入力画面から設計途上の技術情報を新たに追加するための「追加」ボタンを操作部１６から指定入力したときに、新たに関連テーブル−２、関連管理番号−２、親管理番号−２、種類−２、説明−２、ファイル格納場所−２、関連情報入力者−２および関連情報入力日−２を格納する領域が入力制御部１９によって用意される。
【０１４４】
本実施の形態では、操作者は、図１９（２）に示す技術情報入力画面から、設計途上の技術情報を新たに、種類−２に「レポート」を、説明−２に「ツール結果と実験との整合性」を、ファイル格納場所−２に「過程情報：／Ｄａｔａ／項目２ａ−２」を追加し、進捗状況を「順調」から「完了」に変更して、技術情報入力画面からの入力を完了する。
【０１４５】
入力後情報メモリでは、入力制御部１９によって、まず、図１９（３）に示すように、入力前情報メモリのテーブルの「第２階層」、管理番号の「１」、設計項目名、関連テーブル−１の「第２関連情報」、関連管理番号−１の「１」および親管理番号−１の「１」が、入力後情報メモリのテーブル「第２階層」、管理番号「１」、設計項目名「設計項目２ａ」、関連テーブル−１「第２関連情報」、関連管理番号−１「１」および親管理番号−１「１」として格納される。
【０１４６】
次に、入力制御部１９によって、図１９（２）に示す技術情報入力画面に表示される設計マニュアル格納場所「規程情報：／Ｍａｎｕａｌ／項目２ａ」、設計基準「安全率××以上」、設計基準ファイル格納場所「規程情報：／Ｊｕｄｇｅ／項目２ａ」、設計ノウハウ格納場所「過程情報：／ＫｎｏｗＨｏｗ／項目２ａ」、設計値「ローラー径５．０」、進捗状況「完了」、業務担当者「担当ア」、種類−１「データ」、説明−１「安全率ツール結果」、ファイル格納場所−１「過程情報：／Ｄａｔａ／項目２ａ−１」、種類−２「レポート」、説明−２「ツール結果と実験との整合性」およびファイル格納場所−２「過程情報：／Ｄａｔａ／項目２ａ−２」が、図１９（３）に示すように入力後情報メモリに格納される。
【０１４７】
続いて新規に追加した入力後情報メモリの関連テーブル−２には、図１９（３）に示すように、入力制御部１９によって、入力後情報メモリのテーブル「第２階層」から関連テーブル−２「第２関連情報」が格納され、親管理番号−２には、入力後情報メモリの管理番号「１」が親管理番号−２「１」として格納される。入力後情報メモリの関連管理番号−２は、プロセス情報格納部１３に格納するときに、入力制御部１９によって、自動的に順番付けされる。
【０１４８】
図１６に示すフローチャートのステップｃ７の入力前情報メモリと入力後情報メモリとの比較において、設計マニュアル格納場所、設計基準、設計基準ファイル格納場所、設計ノウハウ格納場所、設計値、進捗状況および業務担当者を比較したときに、図１９（３）に示すように、入力前情報メモリの進捗状況が「順調」であり、入力後情報メモリの進捗状況は「完了」であり、これらは異なる。したがって図１６に示すフローチャートのステップｃ９では、入力制御部１９は、入力後情報メモリの情報入力者には、現在の操作者の名前である「担当ア」を格納し、ステップｃ１０では、入力制御部は、入力後情報メモリの情報入力日には現在の日時である「０２．△．△」を格納する。
【０１４９】
また図１６に示すフローチャートのステップｃ７の入力前情報メモリと入力後情報メモリとの比較において、入力前情報メモリおよび入力後情報メモリの種類−１、説明−１、およびファイル格納場所−１が同じである。したがってステップｃ９およびステップｃ１０では、入力制御部１９は、入力前情報メモリの関連情報入力者−１「担当ア」および関連情報入力日−１「０２．ｘｘ．ｘｘ」を、入力後情報メモリの関連情報入力者−１「担当ア」および関連情報入力日−１「０２．ｘｘ．ｘｘ」に格納する。
【０１５０】
入力後情報メモリにおける関連情報入力者−２および関連情報入力日−２は、ステップｃ５において新規に追加されたので、入力制御部１９は、入力後情報メモリの関連情報入力者−２に、現在の操作者の名前「担当ア」を格納し、入力後情報メモリの関連情報入力日−２に、現在の日時「０２．△．△」を格納する。
【０１５１】
表１０は、図１６に示すフローチャートのステップｃ７における入力前情報メモリと入力後情報メモリとの比較の一例を説明するための表である。表１１は、変更情報メモリに格納される情報を示す図である。
【０１５２】
【表１０】
2005056325.tif 000012
【０１５３】
【表１１】
2005056325.tif 000013
【０１５４】
変更情報メモリは、表１１に示すように、テーブル、管理番号、設計項目名、各技術情報の変更前の情報と変更後の情報を格納する前設計マニュアル格納場所および後設計マニュアル格納場所、前設計基準および後設計基準、前設計基準ファイル格納場所および後設計基準ファイル格納場所、前設計ノウハウ格納場所および後設計ノウハウ格納場所、前設計値および後設計値、前進捗状況および後進捗状況、前業務担当者および後業務担当者、前情報入力者および後情報入力者、前情報入力日および後情報入力日、関連情報テーブル−ｎ、関連管理番号−ｎ、親管理番号−ｎ、各技術情報の変更前の情報と変更後の情報を格納する前種類−ｎおよび後種類−ｎ、前説明−ｎおよび後説明−ｎ、前ファイル格納場所−ｎおよび後ファイル格納場所−ｎ、前関連情報入力者−ｎおよび後関連情報入力者−ｎならびに前関連情報入力日−ｎおよび後関連情報入力日−ｎを有する。
【０１５５】
まずステップｃ７において、入力制御部１９は、表１０（１）に示す入力前情報メモリの設計マニュアル格納場所、設計基準、設計基準ファイル格納場所、設計ノウハウ格納場所、設計値、進捗状況および業務担当者と、表１０（２）に示す入力後情報メモリの設計マニュアル格納場所、設計基準、設計基準ファイル格納場所、設計ノウハウ格納場所、設計値、進捗状況、業務担当者とを比較する。ここでは進捗状況が入力前情報メモリと入力後情報メモリとでは異なるので、入力制御部１９は、表１１（１）に示すように、変更情報メモリの前進捗状況に入力前情報メモリの進捗状況の「順調」を格納し、変更情報メモリの後進捗状況に入力後情報メモリの進捗状況の「完了」を格納する。また入力制御部１９は、変更情報メモリのテーブル、管理番号、設計項目名、前情報入力者および前情報入力日に、入力前情報メモリのテーブル、管理番号、設計項目名、情報入力者および情報入力日を格納する。
【０１５６】
次に入力制御部１９は、表１０（１）に示す入力前情報メモリの種類−１と説明−１およびファイル格納場所−１と、表１０（２）に示す入力後情報メモリの種類−１、説明−１およびファイル格納場所−１とを比較する。ここではこれらは同じであり変更されていないので、表１１（２）に示すように、変更情報メモリの前種類−１および後種類−１、前説明−１および後説明−１ならびに前ファイル格納場所−１および後ファイル格納場所−１には何も格納しない。
【０１５７】
また入力制御部１９は、表１０（１）に示す入力前情報メモリの種類−２、説明−２およびファイル格納場所−２と、表１０（２）に示す入力後情報メモリの種類−２、説明−２およびファイル格納場所−２とを比較する。ここでは入力前情報メモリの種類−２、説明−２およびファイル格納場所−２が存在しないので、新規に追加された技術情報となり、入力制御部１９は、表１１（３）に示すように、変更情報メモリの関連テーブル−２、関連管理番号−２、親管理番号−２、後種類−２、後説明−２、後ファイル格納場所−２に、表１０（２）に示す入力後情報メモリの関連テーブル−２、関連管理番号−２、親管理番号−２、種類−２、説明−２および後ファイル格納場所−２を格納する。
【０１５８】
ステップｃ９およびステップｃ１０の変更情報メモリへの後情報入力者および後情報入力日の格納では、変更情報メモリの前設計マニュアル格納場所および後設計マニュアル格納場所、前設計基準および後設計基準、前設計基準ファイル格納場所および後設計基準ファイル格納場所、前設計ノウハウ格納場所および後設計ノウハウ格納場所、前設計値および後設計値、前進捗状況後進捗状況、ならびに前業務担当者および後業務担当者のうち、表１１（１）に示すように、前進捗状況および後進捗状況にデータが格納されている。したがって入力制御部１９は、変更情報メモリの後情報入力者には、現在の操作者の名前「担当ア」を格納し、変更情報メモリの後情報入力日には、現在の日時「０２．△．△」を格納する。
【０１５９】
また表１１（２）および（３）に示す変更情報メモリに後関連情報入力者−ｎおよび後情報入力日−ｎを格納するとき、まず表１１（２）に示す変更情報メモリの前種類−１および後種類−１、前説明−１および後説明−１ならびに前ファイル格納場所−１および後ファイル格納場所−１には情報が格納されていないので、入力制御部１９は、変更情報メモリの後関連情報入力者−１および後情報入力日−１には何も格納しない。次に表１１（３）に示す前種類−２および後種類−２、前説明−２および後説明−２ならびに前ファイル格納場所−２および後ファイル格納場所−２には、情報が格納されているので、入力制御部１９は、変更情報メモリの後関連情報入力者に、現在の操作者の名前「担当ア」を格納し、変更情報メモリの後関連情報入力日に、現在の日時「０２．△．△」を格納する。
【０１６０】
図２０は、履歴格納部１５を模式的に示す図である。図２１は、履歴格納部１５に格納されている履歴情報のデータ構造を模式的に示す図である。履歴格納部１５は、プロセス情報格納部１３に格納されるプロセス情報の更新の履歴を含む履歴情報を、前記プロセス情報が更新される度に更新して格納する。履歴情報では、プロセス情報の第ｎ階層テーブルで管理されている履歴は、図２１（１）に示す階層履歴テーブルで管理し、プロセス情報の第ｎ関連情報テーブルで管理されている履歴は、図２１（２）に示す関連情報履歴テーブルで管理する。
【０１６１】
図２１（１）に示す履歴情報の階層履歴テーブルでは、情報として設計フロー情報であるテーブル、管理番号および設計項目名を有するとともに、技術情報である設計マニュアル格納場所、設計基準、設計基準ファイル格納場所、設計ノウハウ格納場所、設計値、進捗状況、業務担当者、情報入力者および情報入力日の入力前および入力後の情報を有し、さらには情報案内部２１での入力案内の処理が済んでいるか否かを格納する「確認」と、入力案内の対象とする情報であるか否かを格納する「対象」とを有する。図２１（２）に示す関連情報履歴テーブルでは、テーブル、管理番号、親管理番号、種類、説明、ファイル格納場所、情報入力者および情報入力日の入力前および入力後の情報を有する。このように履歴情報として「対象」を有することで、必要な情報だけを操作者に報知することができるので、報知される操作者の注意を引くことが可能となる。
【０１６２】
図２２は、情報案内部２１の履歴情報を操作者に報知する手順を示すフローチャートである。情報案内部２１は、技術情報およびプロセス情報が更新される度に、履歴情報を予め報知登録される報知登録者に報知する。情報案内部２１は、あらかじめ設定されている時刻になると処理が開始される。前記設定されている時刻は、技術情報の入力の頻度および操作者の希望などによって変更することができる。
【０１６３】
情報案内部２１は、履歴格納部１５に格納されている履歴情報の階層履歴テーブルおよび関連情報履歴テーブルの全ての入力内容を操作者に報知してもよいし、履歴情報のうち報知すべき情報を予め設定しておくようにしてもよい。本実施の形態では、履歴情報のうち、全操作者に周知徹底する必要のある設計の手順および方法を示す情報である図２１（１）に示す階層履歴テーブルの設計マニュアル格納場所、設計基準、設計基準ファイル格納場所および設計ノウハウ格納場所の入力前および入力後の内容を、操作者に報知するものとする。ステップｄ０で手順が開始されて、ステップｄ１に進む。
【０１６４】
ステップｄ１では、情報案内部２１は、履歴格納部１５に格納されている履歴情報の階層履歴テーブルの「確認」に「○」が格納されていない履歴情報の階層履歴テーブルの前設計マニュアル格納場所および後設計マニュアル格納場所、前設計基準および後設計基準、前設計基準ファイル格納場所および後設計基準ファイル格納場所ならびに前設計ノウハウ格納場所および後設計ノウハウ格納場所に、情報が入力されているか否かを判断し、入力されていると判断するとステップｄ２に進み、入力されていないと判断するとステップｄ７に進む。履歴格納部１５に格納されている履歴情報の階層履歴テーブルの「確認」に「○」が格納されていないとは、情報案内部２１での入力案内の処理が済んでいないことを表す。
【０１６５】
ステップｄ１において履歴情報の階層履歴テーブルの「確認」に「○」が格納されていない履歴情報の階層履歴テーブルの前設計マニュアル格納場所および後設計マニュアル格納場所、前設計基準および後設計基準、前設計基準ファイル格納場所および後設計基準ファイル格納場所ならびに前設計ノウハウ格納場所および後設計ノウハウ格納場所に、情報が入力されていると判断されてステップｄ２に進むと、情報案内部２１は、履歴情報の「確認」および「対象」に「○」を格納して、ステップｄ３に進む。
【０１６６】
ステップｄ３では、情報案内部２１は、情報として全ての設計項目名に関して、管理番号、前設計マニュアル格納場所および後設計マニュアル格納場所、前設計基準および後設計基準、前設計基準ファイル格納場所および後設計基準ファイル格納場所、前設計ノウハウ格納場所および後設計ノウハウ格納場所、情報入力者、情報入力日が格納される図示しない案内情報メモリに、履歴格納部１５に格納されている履歴情報の階層履歴テーブルのテーブルに格納されている階層と同じ階層の情報案内メモリの設計項目名に、履歴情報の階層履歴テーブルの設計項目名を格納し、情報案内メモリの管理番号、前設計マニュアル格納場所および後設計マニュアル格納場所、前設計基準および後設計基準、前設計基準ファイル格納場所および後設計基準ファイル格納場所、前設計ノウハウ格納場所および後設計ノウハウ格納場所に、履歴情報の管理番号、前設計マニュアル格納場所および後設計マニュアル格納場所、前設計基準および後設計基準、前設計基準ファイル格納場所および後設計基準ファイル格納場所、前設計ノウハウ格納場所および後設計ノウハウ格納場所を格納して、ステップｄ４に進む。
【０１６７】
ステップｄ４では、情報案内部２１は、情報案内メモリに格納されている各設計項目名に関する管理番号およびプロセス情報格納部１３に格納されているプロセス情報の第ｎ階層から第１階層までの設計項目名を、情報案内メモリの各設計項目名に格納して、ステップｄ５に進む。履歴格納工程は、ステップｄ２〜ステップｄ４で構成される。
【０１６８】
図２３は、図２２に示すフローチャートのステップｄ５において報知登録者に報知される電子メールの内容を示す図である。ステップｄ５では、情報案内部２１は、報知登録者に対して、情報案内メモリに基づいて、情報案内用に予め設定されている図２２に示すフォーマットに従って電子メールを自動送信して、ステップｄ６に進み、全ての手順を終了する。
【０１６９】
ステップｄ１において履歴情報の階層履歴テーブルの「確認」に「○」が格納されていない履歴情報の階層履歴テーブルの前設計マニュアル格納場所および後設計マニュアル格納場所、前設計基準および後設計基準、前設計基準ファイル格納場所および後設計基準ファイル格納場所ならびに前設計ノウハウ格納場所および後設計ノウハウ格納場所に、情報が入力されていないと判断されてステップｄ７に進むと、情報案内部２１は、履歴情報の「確認」データに「○」を格納して、ステップｄ１に戻る。
【０１７０】
このように入力内容をグループ内の報知登録者であるメンバーに報知することによって、特に離れた場所で共同設計を行っている場合には、コミュニケーションの一端を担うことが可能となる。
【０１７１】
以上のように本実施の形態の技術情報管理装置１０によれば、にファイル格納部１２は、複数の技術情報が格納され、プロセス情報格納部１３には、各技術情報が階層状の情報群に分類されて、各技術情報のファイル格納部１２における格納場所を含むプロセス情報が格納される。操作部１６は、操作者の操作によって、技術情報を指定する指定情報が入力される。検索制御部２０および表示制御部１８は、プロセス情報格納部１３に格納されるプロセス情報および操作部１６から入力される指定情報に基づいて、指定された技術情報の格納場所を特定して、指定された技術情報を表示するように、表示部１７を制御する。たとえばファイル格納部１２に、技術情報が階層状の情報群に分類されずに、技術情報に検索キーワードを付加して格納する場合、操作者が所望とする技術情報を表示部１７に表示させるときには、ファイル格納部１２に格納される技術情報の検索キーワードを全て検索することになり、技術情報の数が増加すると、指定された技術情報が表示されるまでの時間が技術情報の数に比例して長くなる。本実施の形態では、プロセス情報および指定情報に基づいて、指定された技術情報の格納場所を特定して、指定された技術情報を表示することによって、ファイル格納部１２に格納される技術情報の検索キーワードを全て検索することに比べて、指定された技術情報を抽出するまでの時間が短くなる。したがって本実施の形態では、ファイル格納部１２に格納される技術情報の数が増加しても、指定された技術情報を表示するまでの時間の増加率が、ファイル格納部１２に格納される技術情報の検索キーワードを全て検索する場合に比べて小さくなり、指定された技術情報を迅速に表示することができる。
【０１７２】
また本実施の形態の技術情報管理装置１０によれば、プロセス情報は、最下位階層の情報群に含まれる技術情報の名称、最下位階層を除く残余の階層の情報群に含まれる１階層下位の階層の技術情報の名称および前記格納場所を含む。表示部１７には、初期表示として、最上位階層の情報群に含まれる１階層下位の階層の全情報群の名称を表示することができる。また表示部１７に表示される情報群の１つが指定情報によって指定されると、指定された情報群に含まれる１階層下位の階層の全情報群の名称を表示するように、最下位階層の情報群が指定情報によって指定されるまで繰返される。また表示部１７に表示される最下位階層の情報群が指定されると、指定された情報群に含まれる技術情報の名称を表示部１７に表示することができる。さらに表示部１７によって表示される技術情報が指定情報によって指定されると、表示部１７に指定された技術情報を表示することができる。これによって各種情報を表示部１７に階層的に表示することができる。
【０１７３】
また本実施の形態の技術情報管理装置１０によれば、操作者が操作部１６を操作することによって、操作者を識別する識別情報が入力される。入力制御部１９は、識別情報に基づいて、操作者が予め操作許可登録された許可登録者であるか否かを判定し、許可登録者であると判断した場合、表示制御部１８の動作を許容し、許可登録者でないと判断した場合、表示制御部１８の動作を禁止する。これによって技術情報管理装置１０の情報を閲覧可能な操作者は、許可登録者だけに制限されるので、技術情報管理装置１０に格納される情報の不所望な漏洩を防止することができる。
【０１７４】
また本実施の形態の技術情報管理装置１０によれば、操作部１６が操作者によって操作されると、プロセス情報格納部１３に格納されるプロセス情報の更新を含む更新情報が入力される。入力制御部１９は、更新情報に基づいて、プロセス情報格納部に格納されているプロセス情報を更新する。これによってプロセス情報は、常に新しい情報を有することができる。
【０１７５】
また本実施の形態の技術情報管理装置１０によれば、操作者が操作部１６を操作することによって、操作者を識別する識別情報が入力される。入力制御部１９は、識別情報に基づいて、操作者が予め操作許可登録された許可登録者であるか否かを判定し、許可登録者であると判断した場合、入力制御部１９の動作を許容し、許可登録者でないと判断した場合、入力制御部１９の動作を禁止する。これによって技術情報管理装置１０における情報の更新を行う操作者は、許可登録者だけに制限されるので、技術情報管理装置１０に格納される情報の不所望な書換えを防止することができる。
【０１７６】
また本実施の形態の技術情報管理装置１０によれば、入力制御部１９によって、プロセス情報格納部１３に格納されるプロセス情報の更新の履歴を含む履歴情報が、前記プロセス情報が更新される度に更新されて格納される。これによって更新情報は、プロセス情報の更新に伴って、常に新しい状態に維持することができる。
【０１７７】
また本実施の形態の技術情報管理装置１０によれば、情報案内部２１は、プロセス情報が更新される度に、履歴情報を予め報知登録される報知登録者に報知するので、報知登録者はプロセス情報の更新状況を常に監視することなく、容易に確認することができる。
【０１７８】
また本実施の形態の技術情報管理装置１０によれば、プロセス情報は、技術情報の表示部１７における表示順序を表す順序情報を含み、技術情報は、順序情報に基づく表示順序で表示されるので、技術情報を閲覧する操作者は、技術情報を表示順に容易に確認することができる。
【図面の簡単な説明】
【０１７９】
【図１】本発明の実施の一形態の技術情報管理装置１０の構成を示すブロック図である。
【図２】プロセス情報格納部１３に格納されているプロセス情報の一例の構造を模式的に示す図である。
【図３】設計フロー情報の一例の詳細なデータ構造を模式的に示す図である。
【図４】技術情報の一例の詳細なデータ構造を模式的に示す図である。
【図５】プロセス情報のファイルの単位を説明するための図である。
【図６】プロセス情報を表示部１７に表示するときの手順を示すフローチャートである。
【図７】プロセス情報を表示部１７に表示するときの手順を示すフローチャートである。
【図８】図６に示すフローチャートにおけるステップａ１で表示部１７に表示される製品名および機種名の入力画面の一例を示す図である。
【図９】図６に示すフローチャートにおけるステップａ８で表示部１７に表示されるプロセス情報の一例を示す図である。
【図１０】（１）は、第１階層テーブルを模式的に示す図であり、（２）は、第１関連情報テーブルを模式的に示す図であり、（３）は、第２階層テーブルを模式的に示す図である。
【図１１】「参照」ボタンが押されたときの検索制御部４０の制御手順を示すフローチャートである。
【図１２】図１１に示すフローチャートのステップｂ１において表示部１７に表示されるプロセス情報の一例を示す図である。
【図１３】図１１に示すフローチャートのステップｂ３において表示部１７に表示される検索範囲入力画面の一例を示す図である。
【図１４】図１１に示すフローチャートのステップｂ１５で表示部１７に表示される検索結果表示画面を示す図である。
【図１５】図１１に示すフローチャートのステップｂ６〜ステップｂ１０の手順を模式的に示す図である。
【図１６】技術情報管理装置１０に情報を入力するときの手順を示すフローチャートである。
【図１７】表示部１７に表示されるプロセス情報の一例を示す図である。
【図１８】図１６に示すフローチャートのステップｃ４で表示される技術情報入力画面を示す図である。
【図１９】図１６に示すフローチャートのステップｃ６〜ステップｃ１０の手順を模式的に示す図である。
【図２０】履歴格納部１５を模式的に示す図である。
【０１８０】
【図２１】履歴格納部１５に格納されている履歴情報のデータ構造を模式的に示す図である。
【図２２】情報案内部２１の履歴情報を操作者に報知する手順を示すフローチャートである。
【図２３】図２２に示すフローチャートのステップｄ５において報知登録者に報知される電子メールの内容を示す図である。
【符号の説明】
【０１８１】
１０  技術情報管理装置
１１  格納部
１２  ファイル格納部
１３  プロセス情報格納部
１４  セキュリティ格納部
１５  履歴格納部
１６  操作部
１７  表示部
１８  表示制御部
１９  入力制御部
２０  検索制御部
２１  情報案内部
【図１】
2005056325.tif 000014
【図２】
2005056325.tif 000015
【図３】
2005056325.tif 000016
【図４】
2005056325.tif 000017
【図５】
2005056325.tif 000018
【図６】
2005056325.tif 000019
【図７】
2005056325.tif 000020
【図８】
2005056325.tif 000021
【図９】
2005056325.tif 000022
【図１０】
2005056325.tif 000023
【図１１】
2005056325.tif 000024
【図１２】
2005056325.tif 000025
【図１３】
2005056325.tif 000026
【図１４】
2005056325.tif 000027
【図１５】
2005056325.tif 000028
【図１６】
2005056325.tif 000029
【図１７】
2005056325.tif 000030
【図１８】
2005056325.tif 000031
【図１９】
2005056325.tif 000032
【図２０】
2005056325.tif 000033
【図２１】
2005056325.tif 000034
【図２２】
2005056325.tif 000035
【図２３】
2005056325.tif 000036